(57)【特許請求の範囲】
【請求項１】
電子部品を搭載した制御基板を基板ボックスに収納した制御装置を備える遊技機において、
前記基板ボックスは、
第１ボックス構成部材と、第２ボックス構成部材と、前記第１ボックス構成部材及び前記第２ボックス構成部材を固着する固着部と、を備え、
前記制御装置は、
前記固着部を被覆するように取り付けられ、複数の壁部を具備する固着部被覆部材と、
アンテナ部を有し、該アンテナ部を介してデータを送受信するとともに固有の識別情報を記憶するＩＣチップを有するＩＣタグと、を備え、
前記固着部被覆部材は、
前記複数の壁部のうち一の壁部に、弾性力により当該一の壁部と隣合う他の壁部に対して開くように可動変形する開可動部と、前記開可動部が開いても前記他の壁部に対して開かないように構成された開不可部とを具備し、
前記開可動部が可動変形した場合に、前記固着部から取り外し可能とし、
少なくとも前記開可動部と前記開不可部とに前記アンテナ部が貼り付けられる状態で前記ＩＣタグが貼着され、
前記アンテナ部は、前記開可動部が可動変形した場合に、少なくとも一部が前記開不可部から剥がれ、他部が前記開不可部に残存して破断されることを特徴とする遊技機。
【請求項２】
前記固着部被覆部材は、
前記固着部を前面側から被覆する前壁部と、前記固着部を後面側から被覆する後壁部と、前記固着部を側面側から被覆して前記前壁部と前記後壁部を接続する側壁部と、を備え、
前記前壁部及び前記後壁部の少なくとも何れか一方は、弾性力により前記側壁部に対して開くように可動変形する開可動部と、前記開可動部が開いても前記側壁部に対して開かないように構成された開不可部とを具備していることを特徴とする請求項１に記載の遊技機。
【請求項３】
前記固着部被覆部材は、
前記固着部を前面側から被覆する前壁部と、前記固着部を後面側から被覆する後壁部と、前記固着部を側面側から被覆して前記前壁部と前記後壁部を接続する側壁部と、を備え、
前記側壁部は、弾性力により前記前壁部及び前記後壁部の少なくとも何れか一方に対して開くように可動変形する開可動部と、前記開可動部が開いても前記前壁部及び前記後壁部の少なくとも何れか一方に対して開かないように構成された開不可部とを具備していることを特徴とする請求項１に記載の遊技機。
【請求項４】
前記開不可部は、複数設けられていることを特徴とする請求項２又は３に記載の遊技機。
【請求項５】
前記開不可部の内面には、当該開不可部が前記他の壁部に対して開かないように規制する規制用リブが配設されていることを特徴とする請求項１〜４の何れか一項に記載の遊技機。
【発明の詳細な説明】
【技術分野】
【０００１】
本発明は、制御装置を備える遊技機に関する。
【背景技術】
【０００２】
従来、遊技機の制御装置は、基板ボックスに基板が収納されてなり、基板の制御素子を偽造されたものにすり替える不正を防止する上で、基板ボックスに固有の識別情報を記憶したＩＣタグを取り付けたものが知られている。この制御装置にあっては、制御素子をすり替えようとして基板ボックスを開放すると、アンテナが破断することによりＩＣタグが壊れ、不正した痕跡が残ってしまうことにより不正を防止しようとしている（例えば、特許文献１参照）。
【特許文献１】特開２００４−１７４１１２号公報
【発明の開示】
【発明が解決しようとする課題】
【０００３】
しかしながら、上記の制御装置では、不正を行った痕跡はＩＣタグのアンテナの破断だけであるため目視し難いといった問題があった。そのため、基板ボックスの固着にワンウェイネジを使用したかしめ構造も併用することが望ましい。
ところで、上記の制御装置において、ＩＣタグ貼付部分以外にかしめ部を設けても、ワンウェイネジのネジ頭部に電気ドリル等で穴を開けられ、その穴を利用してネジが回転させられてしまい、これにより、かしめ部を切断することなく基板ボックスのＩＣタグ貼付部分を回動中心にして当該基板ボックスのカバー部材が回動させられてしまう。このため、かしめ部にＩＣタグを取り付けることが望ましいが、かしめ部の表面には凹凸があり、ＩＣタグの取り付けを適正に行うことができないといった問題がある。
【０００４】
そこで、本発明は、上記事情に鑑みてなされたものであって、制御装置の基板ボックスにＩＣタグを適正に取り付けることができるとともに、ＩＣタグの取り付けと基板ボックスの開放が簡便であり、当該基板ボックスに対する不正を防止することができる遊技機を提供することを目的とする。
【課題を解決するための手段】
【０００５】
以上の課題を解決するため、請求項１に記載の発明は、
電子部品を搭載した制御基板を基板ボックスに収納した制御装置を備える遊技機において、
前記基板ボックスは、
第１ボックス構成部材と、第２ボックス構成部材と、前記第１ボックス構成部材及び前記第２ボックス構成部材を固着する固着部と、を備え、
前記制御装置は、
前記固着部を被覆するように取り付けられ、複数の壁部を具備する固着部被覆部材と、
アンテナ部を有し、該アンテナ部を介してデータを送受信するとともに固有の識別情報を記憶するＩＣチップを有するＩＣタグと、を備え、
前記固着部被覆部材は、
前記複数の壁部のうち一の壁部に、弾性力により当該一の壁部と隣合う他の壁部に対して開くように可動変形する開可動部と、前記開可動部が開いても前記他の壁部に対して開かないように構成された開不可部とを具備し、
前記開可動部が可動変形した場合に、前記固着部から取り外し可能とし、
少なくとも前記開可動部と前記開不可部とに前記アンテナ部が貼り付けられる状態で前記ＩＣタグが貼着され、
前記アンテナ部は、前記開可動部が可動変形した場合に、少なくとも一部が前記開不可部から剥がれ、他部が前記開不可部に残存して破断されることを特徴としている。
【０００６】
請求項１に記載の発明によれば、固着部を被覆する複数の壁部を具備する固着部被覆部材は、ＩＣタグのアンテナ部が配設された一の壁部は、弾性力により当該一の壁部と隣合う他の壁部に対して開くように可動変形する開可動部と、開可動部が開いても他の壁部に対して開かないように構成された開不可部とを具備しているので、一の壁部の開可動部を他の壁部に対して開くようにして取り付けることで固着部の被覆を適正に行うことができ、その上にアンテナ部で一の壁部を被覆するようにＩＣタグを適正に取付けることができる。これにより、ＩＣタグの取付けを簡便に行うことができる。また、一の壁部の開可動部を他の壁部に対して開くだけで基板ボックスから固着部被覆部材を取り外すことができるので、取り扱いが簡単であり当該基板ボックスの開放作業を効率良く行うことができる。
さらに、ＩＣタグが配設された状態で固着部被覆部材を開こうとしても、開可動部と開不可部によってＩＣタグのアンテナ部が破断されることとなり、当該基板ボックスに対する不正を適正に防止することができる。
【０００７】
請求項２に記載の発明は、請求項１に記載の遊技機において、
前記固着部被覆部材は、
前記固着部を前面側から被覆する前壁部と、前記固着部を後面側から被覆する後壁部と、前記固着部を側面側から被覆して前記前壁部と前記後壁部を接続する側壁部と、を備え、
前記前壁部及び前記後壁部の少なくとも何れか一方は、弾性力により前記側壁部に対して開くように可動変形する開可動部と、前記開可動部が開いても前記側壁部に対して開かないように構成された開不可部とを具備していることを特徴としている。
【０００８】
請求項２に記載の発明によれば、固着部被覆部材の前壁部及び後壁部の少なくとも何れか一方は、弾性力により側壁部に対して開くように可動変形する開可動部と、開可動部が開いても側壁部に対して開かないように構成された開不可部とを具備しているので、前壁部や後壁部の開可動部を側壁部に対して開くようにして取り付けることで固着部の被覆を適正に行うことができ、その上にアンテナ部で前壁部や後壁部を被覆するようにＩＣタグを適正に取付けることができる。これにより、ＩＣタグの取付けを簡便に行うことができる。また、前壁部や後壁部の開可動部を側壁部に対して開くだけで基板ボックスから固着部被覆部材を取り外すことができるので、取り扱いが簡単であり当該基板ボックスの開放作業を効率良く行うことができる。
【０００９】
請求項３に記載の発明は、請求項１に記載の遊技機において、
前記固着部被覆部材は、
前記固着部を前面側から被覆する前壁部と、前記固着部を後面側から被覆する後壁部と、前記固着部を側面側から被覆して前記前壁部と前記後壁部を接続する側壁部と、を備え、
前記側壁部は、弾性力により前記前壁部及び前記後壁部の少なくとも何れか一方に対して開くように可動変形する開可動部と、前記開可動部が開いても前記前壁部及び前記後壁部の少なくとも何れか一方に対して開かないように構成された開不可部とを具備していることを特徴としている。
【００１０】
請求項３に記載の発明によれば、固着部被覆部材の側壁部は、弾性力により前壁部及び後壁部の少なくとも何れか一方に対して開くように可動変形する開可動部と、開可動部が開いても前壁部及び後壁部の少なくとも何れか一方に対して開かないように構成された開不可部とを具備しているので、側壁部の開可動部を前壁部や後壁部に対して開くようにして取り付けることで固着部の被覆を適正に行うことができ、その上にアンテナ部で側壁部を被覆するようにＩＣタグを適正に取付けることができる。これにより、ＩＣタグの取付けを簡便に行うことができる。また、側壁部の開可動部を前壁部や後壁部に対して開くだけで基板ボックスから固着部被覆部材を取り外すことができるので、取り扱いが簡単であり当該基板ボックスの開放作業を効率良く行うことができる。
【００１１】
請求項４に記載の発明は、請求項２又は３に記載の遊技機において、
前記開不可部は、複数設けられていることを特徴としている。
【００１２】
請求項４に記載の発明によれば、開不可部が複数設けられているので、当該複数の開不可部及び開可動部によってＩＣタグのアンテナ部を適正に破断することができ、当該基板ボックスに対する不正をより適正に防止することができる。
【００１３】
請求項５に記載の発明は、請求項１〜４の何れか一項に記載の遊技機において、
前記開不可部の内面には、当該開不可部が前記他の壁部に対して開かないように規制する規制用リブが配設されていることを特徴としている。
【００１４】
請求項５に記載の発明によれば、開不可部の内面に配設された規制用リブによって、当該開不可部が他の壁部に対して開かないように規制することができるので、開不可部が開いた状態となることをより好適に規制することができ、開不可部を開可動部と一緒に可動させることを防止することができることとなって、当該基板ボックスに対する不正をより適正に防止することができる。
【発明の効果】
【００１５】
本発明によれば、一の壁部の開可動部を他の壁部に対して開くようにして取り付けることで固着部の被覆を適正に行うことができ、その上にアンテナ部で一の壁部を被覆するようにＩＣタグを適正に取付けることができる。これにより、ＩＣタグの取付けを簡便に行うことができる。また、一の壁部の開可動部を他の壁部に対して開くだけで基板ボックスから固着部被覆部材を取り外すことができるので、取り扱いが簡単であり当該基板ボックスの開放作業を効率良く行うことができる。
さらに、ＩＣタグが配設された状態で固着部被覆部材を開こうとしても、開可動部と開不可部によってＩＣタグのアンテナ部が破断されることとなり、当該基板ボックスに対する不正を適正に防止することができる。
【発明を実施するための最良の形態】
【００１６】
以下、この発明の実施形態について図面を参照して説明する。
ここでは、本発明にかかる遊技機１００の適例としてのパチンコ遊技機１００について図１〜図１７を用いて説明を行う。
【００１７】
図１は、本発明を適用した一実施形態の遊技機１００に備わる遊技盤１の一部を示す背面図であり、取付ベース２に取り付けられた演出制御装置３及び遊技制御装置１０を示す。
本実施形態の遊技機１００は、矩形枠状に構成された機枠（図示略）を備え、この機枠の前方に該機枠に対し回動可能に矩形枠状の前面枠（図示略）が軸支されており、前面枠の背面側には、当該前面枠に形成された開口部から前側に臨むように遊技盤１が取り付けられている。
そして、遊技盤１の背面側には、各種部材が取り付けられる取付ベース２が設けられ、取付ベース２の上側に、表示ユニットを制御する演出制御装置３が取付けられ、その下側に、当該遊技盤１に設けた遊技装置の動作制御などを行うことで遊技の進行を統括的に制御する遊技制御装置１０（詳細後述）が基板ホルダ６０を介して取り付けられている。
【００１８】
なお、前面枠の前面側には、図示は省略するが、前側を覆うようにクリア部材保持枠が配置されている。そして、遊技盤１の前面とクリア部材保持枠に嵌め込まれたクリア部材としてのガラス板との間であって、遊技盤１の前面に設けられたガイドレール（図示略）に囲まれた部分が、遊技球が発射されて流下する遊技領域（図示略）とされ、この遊技領域内に遊技球（打球；遊技媒体）を発射して遊技を行うようになっている。
また、前面枠の前面側のクリア部材保持枠の下側に取り付けられた発射操作ユニット（図示略）は、排出された遊技球を貯留するとともに、遊技球を発射する発射装置に遊技球を送る上皿と、上皿に収容しきれない遊技球を収容する下皿及び灰皿と、遊技領域に向けての遊技球の発射操作を行うとともに、発射勢を調節するための操作ハンドルなどが設けられている。
【００１９】
また、前面枠の背面側には、遊技機１００としての諸機能を実現するための機構として、例えば、島設備より供給される遊技球を貯留する貯留タンク（図示略）や、球貸要求に応じた球排出や賞球排出を行う排出装置（図示略）、遊技盤１に設けられた各種入賞口へ入賞して回収された遊技球や何れの入賞口にも入賞せずにアウト口から回収された遊技球を機外の回収球搬送路へ導く遊技球回収機構（図示略）、球排出や打球の発射制御を行う排出・発射制御装置（図示略）、各部へ所定の電源を供給する電源装置（図示略）などが設けられている。
【００２０】
以下に、遊技制御装置１０について図２〜図８を参照して詳細に説明する。
遊技制御装置１０は、遊技機１００の制御を行う遊技制御基板（図示略）を基板ボックス１２に収納したものであって、取付ベース２に回動自在に軸着された基板ホルダ６０に保持されて遊技盤１の背面側に取り付けられている。
なお、遊技制御装置１０は遊技盤１の背面に取り付けられ、該遊技盤１が前面枠に取り付けられることで、遊技機１００の背面側から視認可能に配されている。よって、以下の説明では、図１に示すように、遊技機１００の背面側に配された遊技制御装置１０を遊技機１００の背面側から見た状態を基準として、遊技機１００の背面側から視認可能な面を前面（正面）、遊技盤１に取り付けられた側を後面とし、上下左右も遊技機１００の背面側から見た状態での上下左右とする。
【００２１】
先ず、基板ホルダ６０について説明する。
基板ホルダ６０は、例えば、透光性の合成樹脂で形成されており、基板ボックス１２が保持されるホルダ本体部６１と、ホルダ本体部６１の左側に設けられた２つの回動軸６２、６２等を備えている。
【００２２】
２つの回動軸６２、６２は、上下に並んで配設されている。各回動軸６２は、上下方向に対して略平行に延在して形成され、取付ベース２の軸受部２９に軸着されることで、取付ベース２に対して上下方向の軸周りに回動自在に取付けられる。
【００２３】
ホルダ本体部６１は、上下方向及び左右方向に対して略平行に延在する板状に形成され、その後面には補強用のリブ（図示略）が上下左右に複数形成されている。
また、ホルダ本体部６１の右側部分には、中継基板４が取り付けられる中継基板取付部６３が設けられている。そして、中継基板取付部６３と回動軸６２の間の部分が、基板ボックス１２が取り付けられるボックス取付部６４となっている。
【００２４】
ボックス取付部６４の左右方向に延在する上下縁部には、基板ボックス１２の第２ボックス構成部材４０に形成されたスライド係合部４１（後述）と対応する位置に、スライド係合部４１を受け入れるスライド係合受部６４１が形成されている。
スライド係合受部６４１の各々は、当該ボックス取付部６４の前面から前側に突出するように形成され、基板ボックス１２側に開口した断面略「コ」字状の側壁部と、この側壁部の前端の右側部分に連続して形成され、当該右側部分のみを覆う右側被覆部とを備えている。
即ち、側壁部の前端の左側部分は、スライド係合部４１を受け入れるための開口部となっており、この開口部を介して当該スライド係合受部６４１の内側に配されたスライド係合部４１は相対的に右方向に移動することにより、右側被覆部により抜け止めされた状態でスライド係合受部に係合する。
これにより、基板ボックス１２が基板ホルダ６０に取り付けられるようになっている。
【００２５】
ボックス取付部６４の右端部には、基板ボックス１２の挿入係合部４３と対応する位置に、挿入係合部４３を受け入れる挿入係合受部（図示略）が上下に並んで形成されている。
挿入係合受部は、外形が略直方体状に形成され、左側に向けて開口した略矩形状の開口部を有している。そして、基板ホルダ６０に対して基板ボックス１２を相対的に右方向へスライドさせることにより、挿入係合受部に開口部を介して挿入係合部４３が挿入される。
これによっても基板ボックス１２が基板ホルダ６０に取り付けられるようになっている。
【００２６】
挿入係合受部の外側、即ち、上側の挿入係合受部よりも上側及び下側の挿入係合受部よりも下側には、当該基板ボックス１２を基板ホルダ６０に対してネジ止めするための取付ネジ（図示略）が下側ネジ孔部２８８及び上側ネジ孔部２８９のネジ孔２８ａを介して挿通されるネジ穴が形成された螺合部（図示略）が配設されている。
【００２７】
螺合部は、前後方向に延在して前側になるにつれて縮径される円錐台形状に形成され、略中央部に取付ネジが挿入されるネジ穴が前後方向に沿って穿設されている。
螺合部の延出長は、下側ネジ孔部２８８及び上側ネジ孔部２８９に形成された各ネジ孔２８ａの下面よりも低くなる程度となっており、基板ホルダ６０に基板ボックス１２が取り付けられた状態で下側ネジ孔部２８８及び上側ネジ孔部２８９のネジ孔２８ａの下側に螺合部が配置される。即ち、基板ホルダ６０に対して基板ボックス１２を相対的に右方向へスライドさせることにより、下側ネジ孔部２８８及び上側ネジ孔部２８９の切欠部２８ｂで螺合部を案内しながら右方向に移動していき、切欠部２８ｂの奥側の湾曲した部分が螺合部に当接することで基板ボックス１２のスライドが停止して、下側ネジ孔部２８８及び上側ネジ孔部２８９のネジ孔２８ａの中心軸が螺合部のネジ穴の中心軸と前後にほぼ重なる位置に配置された状態となる。
【００２８】
ボックス取付部６４の左側部には、基板ボックス１２の左端部に係合して当該ボックス取付部６４からの取り外しを規制する係止部６７が設けられている。
係止部６７は、当該ホルダ本体部６１と一体となって形成され、可撓性を有している。具体的には、係止部６７は、ボックス取付部６４の左側部の上下方向の中央やや下寄りの位置に設けられ、基板ボックス１２の左端部に係合する係合爪がホルダ本体部６１と略同方向に延在する延在部の先端部（左端部）に設けられている。
【００２９】
基板ボックス１２は、遊技制御装置１０の前面側を構成するとともに遊技制御基板を収納する第１ボックス構成部材２０と、後面側を構成する第２ボックス構成部材４０とを備え、第１ボックス構成部材２０と第２ボックス構成部材４０は正面視にて右側側部に設けられた４つの固着部７０（図３参照）により固着されている。
これにより、遊技制御基板が基板ボックス１２に完全に内包された状態となり、遊技制御基板に対する不正行為を防止するようになっている。
【００３０】
遊技制御基板は、図示は省略するが、外形が略矩形状の基板であって、前面には他の装置と接続するための複数のコネクタ１３、…が設けられているとともに、図示しないＣＰＵ、ＲＯＭ、ＲＡＭ内蔵のワンチップＩＣ等の電子部品が配されている。この遊技制御基板においては、例えば、大当たりの抽選や、遊技の進行制御などの遊技に関する種々の処理がなされるようになっており、このような制御を行う遊技制御基板に対する不正行為を防止するために、遊技制御基板は基板ボックス１２に収納されている。
【００３１】
第１ボックス構成部材２０は、例えば、透光性の合成樹脂で形成されており、内部に収納した遊技制御基板を視認可能となっている。また、第１ボックス構成部材２０は、遊技制御基板の外形に対応させて略矩形枠状に連結された４つの側壁部２２、…と、各側壁部２２の前端部に連続して形成され、４つの側壁部２２、…とともに収納凹部２３を形成する前面壁２１とを具備し、収納凹部２３内に遊技制御基板がネジ止め等により取付固定されている。
【００３２】
収納凹部２３は、前面側に膨らんで内側に遊技制御基板を収納するものであり、遊技制御基板のコネクタ１３、…が設けられた部分に合わせて、遊技制御基板と対向する前面壁２１の一部分が後面側に凹んで段部２４、…が形成されている。また、段部２４、…にはコネクタ１３が挿通されるコネクタ挿通開口部２５、…が設けられている。
このコネクタ挿通開口部２５、…に、基板ボックス１２に収納された遊技制御基板のコネクタ１３、…が挿入されて遊技制御装置１０の前面側に露出するようになっており、これによって遊技制御基板への配線が可能となっている。
また、コネクタ１３、…がコネクタ挿通開口部２５、…に挿入されることで、遊技制御基板は上下左右方向への移動が規制されるようになり、さらには、段部２４、…に遊技制御基板の前面が当接し、遊技制御基板の前方への移動が規制される。即ち、段部２４、…及びコネクタ挿通開口部２５、…は、第１ボックス構成部材２０に対する遊技制御基板の位置決めを行う機能も有する。
なお、遊技制御基板に設けるコネクタ１３、…は一部分に集中させないで、複数箇所に分散して設けられており、遊技制御基板が適切な位置に確実に保持されるようにされている。
【００３３】
また、４つの側壁部２２、…のうち、上下の側壁部２２、２２における外側の面には、当該側壁部２２に対して垂直に外側に突出する直方体状のボックススライド係合部（図示略）が複数形成されている。
ボックススライド係合部は、第２ボックス構成部材４０に形成されたボックススライド係合受部４６と係合可能であり、これにより第１ボックス構成部材２０と第２ボックス構成部材４０とが接合されるようになっている。
【００３４】
また、４つの側壁部２２、…のうち、左側の側壁部２２における外側の面には、当該側壁部２２に対して垂直に外側に突出する直方体状の第１挿入係合部（図示略）が形成されている。
第１挿入係合部は、第２ボックス構成部材４０に形成された第２挿入係合受部４７に挿入されることで係合し、これによっても第１ボックス構成部材２０と第２ボックス構成部材４０とが接合されるようになっている。
【００３５】
また、上側の側壁部２２における外側の面には、第２ボックス構成部材４０に形成された係止片４８と係合可能な係止部材２７が設けられており、これによって第１ボックス構成部材２０と第２ボックス構成部材４０を接合した状態で保持できるようになっている。
【００３６】
また、右側の側壁部２２には、外側に向かって突出されたかしめ部配設部２８が形成されている。
かしめ部配設部２８は、右側の側壁部２２の上下方向のやや内側の位置から右側に突出するように形成されている。
具体的には、かしめ部配設部２８は、上側面部２８１及び下側面部２８２と、下側面部２８２の前端部に連続して設けられた前側広面部２８３と、上側面部２８１の前端部に連続して設けられた前側狭面部２８４と、前側広面部２８３の上側部分、即ち、かしめ部配設部２８の上下方向の略中央部の右側端部に連続して設けられた右側中面部２８５と、右側中面部２８５よりも下側に前側広面部２８３の上側部分及び下側面部２８２に連続して設けられた右側下面部２８６と、右側中面部２８５よりも上側に上側面部２８１に連続して設けられた右側上面部２８７と、右側中面部２８５から右側に延設された連結部、…（図３参照）を介して設けられた４つのかしめ部３０、…と、右側下面部２８６から右側に延設されネジ孔２８ａを具備する下側ネジ孔部２８８と、右側上面部２８７から右側に延設されネジ孔２８ａを具備する上側ネジ孔部２８９とを備えている。
【００３７】
上側面部２８１及び下側面部２８２は、前後方向及び左右方向に対して略平行に延在するように配設されている。下側面部２８２の前後方向の長さは、収納凹部２３の高さ（深さ）と略等しくなっている。
前側広面部２８３は、収納凹部２３の前面壁２１と略面一となるように上下方向及び左右方向に対して略平行に延在するように配設されている。
前側狭面部２８４は、前側広面部２８３よりもわずかに低くなるように段差をつけて配置され、前後方向及び左右方向に対して略平行に延在するように配設されている。
【００３８】
右側中面部２８５、右側下面部２８６及び右側上面部２８７は、前後方向及び上下方向に対して略平行に延在するように配設されている。
【００３９】
下側ネジ孔部２８８及び上側ネジ孔部２８９に形成された各ネジ孔２８ａは、当該基板ボックス１２が基板ホルダ６０に対してネジ止めされる際に基板ホルダ６０の螺合部（後述）に螺子込まれる取付ネジが挿通されるものである。
なお、下側ネジ孔部２８８及び上側ネジ孔部２８９の後面側には、螺合部の中心軸がネジ孔２８ａの中心軸と前後方向にほぼ重なる位置まで螺合部を案内するように、右側端面から左側に切りかかれた切欠部２８ｂが形成されている。
【００４０】
また、下側ネジ孔部２８８の上側には、最も下側の固着部７０を下側から被覆する下側蓋部２６１が設けられている。
下側蓋部２６１は、かしめ部配設部２８の右側中面部２８５の下端部から右側に延出された略矩形板状をなす部材であり、その下面を下側ネジ孔部２８８の上面に接触させるようにして配設されている。また、下側蓋部２６１は、後述する固着部カバー８０が基板ボックス１２に取り付けられた状態で、当該固着部カバー８０の前側板部８１１と右側板部８１２と後側板部８１３の下側開口部を被覆するようになっている。
【００４１】
さらに、下側蓋部２６１の右側縁部には、基板ボックス１２に取り付けられた固着部カバー８０の右側板部８１２の下端部に係止する下側係止爪２６１ａが設けられている。これにより、基板ボックス１２に取り付けられた固着部カバー８０の取り外しが規制されるようになっている。
なお、基板ボックス１２から固着部カバー８０を取り外す場合には、下側蓋部２６１を撓ませて下側係止爪２６１ａと右側板部８１２の下端部の係止を解除する必要がある。
【００４２】
また、上側ネジ孔部２８９の下側には、最も上側の固着部７０を上側から被覆する上側蓋部２６２が設けられている。
上側蓋部２６２は、かしめ部配設部２８の右側中面部２８５の上端部から右側に延出された略矩形板状をなす部材であり、その上面を上側ネジ孔部２８９の下面に接触させるようにして配設されている。また、上側蓋部２６２は、後述する固着部カバー８０が基板ボックス１２に取り付けられた状態で、当該固着部カバー８０の前側板部８１１と右側板部８１２と後側板部８１３の上側開口部を被覆するようになっている。
【００４３】
さらに、上側蓋部２６２の右側縁部には、基板ボックス１２に取り付けられた固着部カバー８０の右側板部８１２の上端部に係止する上側係止爪２６２ａが設けられている。これにより、基板ボックス１２に取り付けられた固着部カバー８０の取り外しが規制されるようになっている。
なお、基板ボックス１２から固着部カバー８０を取り外す場合には、上側蓋部２６２を撓ませて上側係止爪２６２ａと右側板部８１２の上端部の係止を解除する必要がある。
【００４４】
４つのかしめ部３０、…は、上下方向に所定間隔を空けて配設された４つの連結部（図示略）を介して右側中面部２８５と接続されている。各かしめ部３０は、外形が前後方向に延在する円筒状に形成され、略中央部に第１ボックス構成部材２０と第２ボックス構成部材４０を固着する際にワンウェイネジ９が挿通されるネジ孔（図示略）が前後方向に沿って穿設されている。ここで、ワンウェイネジ９とは、締める方向にしか回すことができないネジである。
また、かしめ部３０は、ワンウェイネジ９及び第２ボックス構成部材４０のかしめ受部５０（後述）とともに固着部７０を構成している。
【００４５】
なお、かしめ部３０は、その後端のネジ孔よりも右側部分が左側部分に対して後側に突出されており、当該かしめ部３０と接合するかしめ受部５０を右側から覆うようになっている。これにより、かしめ部３０とかしめ受部５０の接合部分に工具等を差し込んで当該基板ボックス１２を開放する不正行為を抑制することができる。
【００４６】
各連結部は、各かしめ部３０の外周面と右側中面部２８５とを個別に繋ぐものである。
【００４７】
第２ボックス構成部材４０は、例えば、透光性の合成樹脂で形成されており、内部に収納した遊技制御基板を視認可能となっている。また、第２ボックス構成部材４０は、遊技制御装置１０の後面をなす略矩形状の後面壁（図示略）と、該後面壁の周囲を囲むように前側に略垂直に突出した周囲壁４２とを有し、周囲壁４２の内側に第１ボックス構成部材２０の側壁部２２が配設される。
【００４８】
後面壁の前面であって上側の周囲壁４２のすぐ下側には、当該周囲壁４２と平行なリブ状の上部案内壁（図示略）が形成され、上側の側壁部２２が左右方向にスライド可能に嵌合するスライド溝が形成されている。
また同様に、下側の周囲壁４２のすぐ上側には、当該周囲壁４２と平行なリブ状の下部案内壁（図示略）が形成され、下側の側壁部２２が左右方向にスライド可能に嵌合するスライド溝が形成されている。
【００４９】
上下の周囲壁４２、４２における外側の面には、第１ボックス構成部材２０に形成されたボックススライド係合部（図示略）と対応する位置に、各ボックススライド係合部を受け入れるボックススライド係合受部４６、…が形成されている。
ボックススライド係合受部４６、…の各々は、上下の周囲壁４２、４２に形成されたＬ字状のスリット（図示略）と、該スリットが形成された部分の外側を覆うカバー部とからなる。
スリットは、周囲壁４２の前端に一端部が位置しており、ここから前後方向に沿って後方へ延在し、さらに直角に左方へ屈折して左右方向に沿って延在するように形成されている。そして、周囲壁４２の前端に位置する一端部が、ボックススライド係合部を受け入れる受入部とされ、スリットの外側を覆うカバー部にも、この部分に切欠状の開口が形成されている。
【００５０】
また、上下の周囲壁４２、４２における外側の面には、周囲壁４２に対して略垂直に外側に突出して、基板ホルダ６０のスライド係合受部６４１と係合する直方体状のスライド係合部４１（図３参照）が複数（例えば、上下２個ずつ）形成されている。
【００５１】
左側の周囲壁４２には、第１ボックス構成部材２０に形成された第１挿入係合部（図示略）と対応する位置に、該挿入係合部を受け入れる２つの第２挿入係合受部４７、４７が形成されている。
そして、第１ボックス構成部材２０と第２ボックス構成部材４０とを組み合わせた状態で第１ボックス構成部材２０を左方向へスライドすることにより、第２挿入係合受部４７に第１挿入係合部が挿入されるようになっている。
【００５２】
また、上側の周囲壁４２における外側の面には、第１ボックス構成部材２０に設けられた係止部材２７と対応する位置に係止片４８が形成されている。
係止片４８は、外側へ向かって突出する突条であって、右側面が左側へ向かって周囲壁４２からの突出量が増加する斜面とされ、左側面は周囲壁４２に対して垂直な面とされている。そして、係止片４８に係止部材２７が係止することによって、後述するように、第１ボックス構成部材２０と第２ボックス構成部材４０とが接合した状態が保持される。
【００５３】
また、右側の周囲壁４２の外側の面には、第１ボックス構成部材２０に設けられたかしめ部３０、…に対応するように４つのかしめ受部５０、…がそれぞれ第２ボックス構成部材４０から延設された接続部４９（図３参照）を介して配設されている。
【００５４】
かしめ受部５０、…は、外形が前後方向に延在する円柱状に形成され、略中央部に第１ボックス構成部材２０と第２ボックス構成部材４０を固着する際にワンウェイネジ９が螺子込まれるネジ穴（図示略）が当該かしめ受部５０の前端面から前後方向に沿って穿設されている。
また、かしめ受部５０は、第１ボックス構成部材２０と第２ボックス構成部材４０とを接合させることによってかしめ部３０、…と対向配置され、かしめ部３０のネジ孔とかしめ受部５０のネジ穴が連通された状態となる。
【００５５】
また、右側の周囲壁４２の外側の面のかしめ受部５０の上下両側には、当該周囲壁４２に対して略垂直に外側に突出して基板ホルダ６０の挿入係合受部に挿入される直方体状の挿入係合部４３（図３参照）が形成されている。
【００５６】
上下の周囲壁４２、４２は、かしめ部配設部２８の上側面部２８１及び下側面部２８２よりも広い間隔を空けて配設されている。また、左右の周囲壁４２、４２は、当該周囲壁４２の内側にスライドさせるようにして取り付けられる第１ボックス構成部材２０のスライド量を考慮して、第１ボックス構成部材２０の左右の側壁部２２、２２よりも広い間隔を空けて配設されている。
これにより、第１ボックス構成部材２０と第２ボックス構成部材４０が接合された状態で、右側の周囲壁４２は、第１ボックス構成部材２０の右側の側壁部２２よりも右側に配置されるとともに、上下の周囲壁４２、４２は、ボックスかしめ部配設部２８の上側面部２８１及び下側面部２８２よりも外側に配置される。
【００５７】
４つのかしめ部３０、…には、予めワンウェイネジ９が仮止めされている。そして、４つのかしめ部３０、…の何れかに仮止めされているワンウェイネジ９がかしめ部３０のネジ孔と当該ネジ孔に対向配置されたかしめ受部５０のネジ穴に螺子込まれることで第１ボックス構成部材２０と第２ボックス構成部材４０が固着されている。
即ち、ワンウェイネジ９によるかしめ部３０とかしめ受部５０の固着を解除するためには、当該固着部７０のかしめ受部５０の接続部４９、若しくはかしめ部３０の連結部を切断する必要があるため、固着部７０は、痕跡が残るような方法でのみ固着解除可能とされている。
なお、かしめ部３０の前面は、ワンウェイネジ９のネジ頭部が露出しないようにキャップ３３により封止されている。
【００５８】
基板ボックス１２の右側端部には、図２に示すように、４つの固着部７０、…を被覆する固着部カバー８０が取付けられ、この固着部カバー８０の少なくとも一部を被覆するようにＩＣタグ９０が配設されている。
【００５９】
以下に、固着部カバー８０について、図２〜図５を参照して説明する。
ここで、図２は、遊技制御装置１０を示す斜視図であり、図３は、遊技制御装置１０から固着部カバー８０及びＩＣタグ９０を取り外した状態を示す分解斜視図である。また、図４（ａ）は、固着部カバー８０を閉じた状態を拡大して示す斜視図であり、図４（ｂ）は、固着部カバー８０を閉じた状態を示す平面図である。また、図５（ａ）は、固着部カバー８０を開いた状態を拡大して示す斜視図であり、図５（ｂ）は、固着部カバー８０を開いた状態を示す平面図である。
【００６０】
固着部カバー８０は、図２に示すように、第１ボックス構成部材２０の上側蓋部２６２の上側係止爪２６２ａ及び下側蓋部２６１の下側係止爪２６１ａに係止されて上側ネジ孔部２８９と下側ネジ孔部２８８の間に取付け固定され、固着部７０を被覆する被覆部８１と、かしめ部３０よりも奥側に配置されて当該かしめ部３０に係止することで抜止めする第１抜止板部８２と、かしめ受部５０よりも奥側に配置されて当該かしめ受部５０に係止することで抜止めする第２抜止板部８３を備えている。
【００６１】
被覆部８１は、第１抜止板部８２の前端部に連設された前側板部８１１と、この前側板部８１１の右端部に連設された右側板部８１２と、この右側板部８１２の後端部に連設された後側板部８１３とを備えている。また、被覆部８１は、右側板部８１２に対して前側板部８１１及び後側板部８１３の開可動板部８４が開いた状態と閉じた状態とに弾性変形可能となっており（詳細後述）、開可動板部８４が閉じた状態では、上下方向に略直交する断面が左側に開口した略「コ」字状に形成されている（図４参照）。
【００６２】
右側板部８１２は、上下方向及び前後方向に対して略平行に配設され、外形が略矩形状に形成されている。右側板部８１２と前側板部８１１及び後側板部８１３の接続部分は、円弧状に湾曲した形状となっている。
【００６３】
前側板部８１１は、図４（ａ）及び図４（ｂ）に示すように、開可動板部８４が閉じた状態で右側板部８１２に対して略直交するように、即ち、左右方向及び上下方向に対して略平行に配設されている。また、前側板部８１１の左右方向の長さは、当該固着部カバー８０を基板ボックス１２に取り付けた状態で、第１抜止板部８２がかしめ部３０よりも奥側（左側）に配置されるか、或いは、かしめ部３０の奥側端部（左側端部）と略等しい位置に配置される程度となっている。
【００６４】
また、前側板部８１１は、図４及び図５に示すように、弾性力により前側板部８１１（一の壁部）と隣合う右側板部８１２（他の壁部）に対して開くように可動変形する開可動板部８４と、開可動板部８４が開いても右側板部８１２に対して開かないように構成された４つの開不可板部８５、…とを具備し、外形が全体として略矩形状に形成されている。
【００６５】
４つの開不可板部８５、…の各々は、略等しい間隔を空けて右側板部８１２の前端部の所定位置から左側に延出するように配設されている。また、開不可板部８５は、基端部から略等しい幅をもって延設され、先端部が円弧状に湾曲して形成されている。
また、開不可板部８５と右側板部８１２の接続部分の内側には、当該開不可板部８５の内面及び右側板部８１２の内面を繋ぐように前側規制用リブ８６１が配設されている。これにより、当該開不可板部８５が右側板部８１２に対して開かないように規制され、開不可板部８５は右側板部８１２に対して略直交した状態となっている。
【００６６】
開可動板部８４は、４つの開不可板部８５、…の周囲に隣接するように配設され、隣接する部分は開不可板部８５の外形に対応した形状に形成されている。即ち、開可動板部８４が閉じた状態で、前側板部８１１は、開可動板部８４と開不可板部８５との間にわずかな隙間が形成されるものの全体として略矩形板状をなしている。
また、開可動板部８４は、通常状態では、右側板部８１２に対して閉じた状態、即ち、開可動板部８４と右側板部８１２の内角が略直角となるように配設されている。そして、基板ボックス１２に対する取付けや取り外しに際して、開可動板部８４を右側板部８１２に対して開くように、即ち、開可動板部８４と右側板部８１２の内角が直角よりも大きくなるように変形させても（図５（ａ）及び図５（ｂ）参照）、開く方向への付勢力が解除されると、開可動板部８４は弾性力により閉じた状態に復帰するようになっている。
【００６７】
また、開可動板部８４の左側の端部には、第１抜止板部８２が連設されている。
なお、開可動板部８４と第１抜止板部８２の接続部分は、円弧状に湾曲した形状となっている。
【００６８】
第１抜止板部８２は、前後方向及び上下方向に対して略平行に延在する略矩形状に形成されている。
また、第１抜止板部８２の前後方向の長さは、当該固着部カバー８０を基板ボックス１２に取り付けた状態で、かしめ部３０の前端部よりも後側に配置され、且つ、かしめ部３０と右側中面部２８５とを連接する連結部の前面よりも奥側に配置されない、即ち、連結部の前端面に接触するか、或いは前端面に接触しない程度となっている。
これにより、前側板部８１１の開可動板部８４が閉じた状態では、固着部カバー８０を基板ボックス１２から取り外そうと相対的に右方向に移動させても、このままでは、第１抜止板部８２の先端部がかしめ部３０の前端部に引っ掛かった状態となって抜止めされるようになっている。つまり、固着部カバー８０を基板ボックス１２から取り外すためには、第１抜止板部８２がかしめ部３０の前端部に引っ掛からないように前側板部８１１の開可動板部８４を開いた状態とする必要があるため、固着部カバー８０の取り外し作業を容易に行うことができなくなる。
【００６９】
後側板部８１３は、開可動板部８４が閉じた状態で右側板部８１２に対して略直交するように、即ち、左右方向及び上下方向に対して略平行に配設されている。また、後側板部８１３の左右方向の長さは、当該固着部カバー８０を基板ボックス１２に取り付けた状態で、第２抜止板部８３がかしめ受部５０よりも奥側（左側）に配置されるか、或いは、かしめ受部５０の奥側端部（左側端部）と略等しい位置に配置される程度となっている。
【００７０】
また、後側板部８１３は、図４及び図５に示すように、弾性力により前側板部８１１（一の壁部）と隣合う右側板部８１２（他の壁部）に対して開くように可動変形する開可動板部８４と、開可動板部８４が開いても右側板部８１２に対して開かないように構成された４つの開不可板部８５、…とを具備し、外形が全体として略矩形状に形成されている。
【００７１】
開不可板部８５は、前側板部８１２に形成されたものと略同様の形状をなしている。即ち、４つの開不可板部８５、…の各々は、略等しい間隔を空けて右側板部８１２の後端部の所定位置から左側に延出するように配設されている。また、開不可板部８５は、基端部から略等しい幅をもって延設され、先端部が円弧状に湾曲して形成されている。
また、開不可板部８５と右側板部８１２の接続部分の内側には、当該開不可板部８５の内面及び右側板部８１２の内面を繋ぐように後側規制用リブ８６２が配設されている。これにより、当該開不可板部８５が右側板部８１２に対して開かないように規制され、開不可板部８５は右側板部８１２に対して略直交した状態となっている。
【００７２】
開可動板部８４は、前側板部８１２に形成されたものと略同様の形状をなしている。即ち、開可動板部８４は、４つの開不可板部８５、…の周囲に隣接するように配設され、隣接する部分は開不可板部８５の外形に対応した形状に形成されている。即ち、開可動板部８４が閉じた状態で、後側板部８１３は、開可動板部８４と開不可板部８５との間にわずかな隙間が形成されるものの全体として略矩形板状をなしている。
また、開可動板部８４は、通常状態では、右側板部８１２に対して閉じた状態、即ち、開可動板部８４と右側板部８１２の内角が略直角となるように配設されている。そして、基板ボックス１２に対する取付けや取り外しに際して、開可動板部８４を右側板部８１２に対して開くように、即ち、開可動板部８４と右側板部８１２の内角が直角よりも大きくなるように変形させても（図５（ａ）及び図５（ｂ）参照）、開く方向への付勢力が解除されると、開可動板部８４は弾性力により閉じた状態に復帰するようになっている。
【００７３】
開可動板部８４の左側の端部には、第２抜止板部８３が連設されている。
なお、開可動板部８４と第２抜止板部８３の接続部分は、円弧状に湾曲した形状となっている。
【００７４】
第２抜止板部８３は、前後方向及び上下方向に対して略平行に延在する略矩形状に形成されている。
また、第２抜止板部８３の前後方向の長さは、当該固着部カバー８０を基板ボックス１２に取り付けた状態で、かしめ受部５０の後端部よりも後側に配置され、且つ、かしめ受部５０と第２ボックス構成部材４０を接続する接続部４９の後面よりも前側に配置されない、即ち、接続部４９の後端面に接触するか、或いは後端面に接触しない程度となっている。
これにより、後側板部８１３の開可動板部８４が閉じた状態では、固着部カバー８０を基板ボックス１２から取り外そうと相対的に右方向に移動させても、このままでは、第２抜止板部８３の先端部がかしめ受部５０の後端部に引っ掛かった状態となって抜止めされるようになっている。つまり、固着部カバー８０を基板ボックス１２から取り外すためには、第２抜止板部８３がかしめ受部５０の後端部に引っ掛からないように後側板部８１３の開可動板部８４を開いた状態とする必要があるため、固着部カバー８０の取り外し作業を容易に行うことができなくなる。
【００７５】
また、前側板部８１１、右側板部８１２及び後側板部８１３の上下方向の長さは、上側蓋部２６２と下側蓋部２６１の間の上下方向の長さと略等しくなっている。これにより、前側板部８１１、右側板部８１２及び後側板部８１３は、上側蓋部２６２の下端部及び下側蓋部２６１の上端部との間に隙間を形成することなく接触した状態で配設され、固着部カバー８０の脇からのドライバーの挿入といった不正を防止することができる。
【００７６】
ＩＣタグ９０は、固有の識別情報を記憶するとともに、アンテナ部９４（図３参照）を介してデータを送受信するＩＣチップを備えている。
また、ＩＣタグ９０は、上下方向に略直交する断面が略「コ」字状に形成され（図３参照）、固着部カバー８０の表面に貼着されている。具体的には、ＩＣタグ９０は、前側板部８１１の大部分を被覆する前側被覆板部９１と、この前側被覆板部９１の右側端部に連設され、右側板部８１２の大部分を被覆する右側被覆板部９２と、この右側被覆板部９２の後側端部に連設され、後側板部８１３の大部分を被覆する後側被覆板部９３とを備えている。
【００７７】
前側被覆板部９１及び後側被覆板部９３は、左右方向及び上下方向に対して略平行に延在する略矩形状に形成されている。
また、前側被覆板部９１の左右方向の長さは、その先端部（左側端部）が固着部カバー８０の前側板部８１１の開不可板部８５の左端部よりも左側に配置される程度となっている。同様に、後側被覆板部９３の左右方向の長さは、その先端部（左側端部）が固着部カバー８０の後側板部８１３の開不可板部８５の左端部よりも左側に配置される程度となっている。
【００７８】
また、前側被覆板部９１の上下方向の長さは、その上端部が固着部カバー８０の前側板部８１１の最も上側の開不可板部８５の上端部と略等しい位置か、或いはわずかに下側に配置されるとともに、下端部が最も下側の開不可板部８５の下端部と略等しい位置か、或いはわずかに上側に配置される程度となっている。同様に、後側被覆板部９３の上下方向の長さは、その上端部が固着部カバー８０の後側板部８１３の最も上側の開不可板部８５の上端部と略等しい位置か、或いはわずかに下側に配置されるとともに、下端部が最も下側の開不可板部８５の下端部と略等しい位置か、或いはわずかに上側に配置される程度となっている。
【００７９】
右側被覆板部９２は、前側被覆板部９１及び後側被覆板部９３に対して略直交するように延在する略矩形状に形成されている。
【００８０】
また、前側被覆板部９１、右側被覆板部９２及び後側被覆板部９３の内面には、ＩＣチップ（図示略）に接続されたアンテナ部９４が配設されている。
アンテナ部９４は、例えば、前側被覆板部９１、右側被覆板部９２及び後側被覆板部９３の内面の略全域に亘って配設されており、固着部７０に対して不正をしようとして、固着部カバー８０の長手方向の中途部分を破断すると、当該破断に伴ってアンテナ部９４が破断されるようになっている。
【００８１】
また、アンテナ部９４は、前側被覆板部９１、右側被覆板部９２及び後側被覆板部９３が固着部カバー８０から剥がされることで部分的に破断するようになっている。
具体的には、アンテナ部９４は、前側被覆板部９１、右側被覆板部９２及び後側被覆板部９３に対する貼り付け強度を変えて、即ち、貼り付け強度の強い部分と弱い部分が混在するようにして貼着されている。また、アンテナ部９４を具備する前側被覆板部９１、右側被覆板部９２及び後側被覆板部９３の固着部カバー８０の表面に対する貼り付け強度は、前側被覆板部９１、右側被覆板部９２及び後側被覆板部９３に対するアンテナ部９４の貼り付け強度の強い部分と弱い部分との中間程度となっている。
【００８２】
これにより、基板ボックス１２を開放する場合に、固着部カバー８０の前側板部８１１及び後側板部８１３の開可動板部８４が右側板部８１２に対して開いた状態とされると、前側被覆板部９１及び後側被覆板部９３の４つの開不可板部８５、…に対向する内面に貼着されたアンテナ部９４のうち、固着部カバー８０の表面に対する貼り付け強度よりも強い貼り付け強度で貼り付けられた部分は、当該開不可板部８５に対向する内面に残存する一方で、固着部カバー８０の表面に対する貼り付け強度よりも弱い貼り付け強度で貼り付けられた部分は、開不可板部８５に対向する内面から剥がれて固着部カバー８０の開不可板部８５の表面に貼着されたままの状態となる。
【００８３】
また、同様に、基板ボックス１２を開放する場合に、ＩＣタグ９０全体が固着部カバー８０から剥がされると、前側被覆板部９１、右側被覆板部９２及び後側被覆板部９３の内面に貼着されたアンテナ部９４のうち、固着部カバー８０の表面に対する貼り付け強度よりも強い貼り付け強度で貼り付けられた部分は、前側被覆板部９１、右側被覆板部９２及び後側被覆板部９３の内面に残存する。一方、前側被覆板部９１、右側被覆板部９２及び後側被覆板部９３の内面に貼着されたアンテナ部９４のうち、固着部カバー８０の表面に対する貼り付け強度よりも弱い貼り付け強度で貼り付けられた部分は、前側被覆板部９１、右側被覆板部９２及び後側被覆板部９３の内面から剥がれて固着部カバー８０の表面に貼着されたままの状態となる。
【００８４】
なお、ＩＣタグ９０の固着部カバー８０に対する貼り付け方法、及びアンテナ部９４の前側被覆板部９１、右側被覆板部９２及び後側被覆板部９３の内面に対する貼り付け方法は、如何なる方法であっても良く、貼り付け強度に応じて適宜任意に変更することができる。例えば、接着力が異なる複数の接着剤等を用いて、それぞれ貼り付けるようにしても良い。
【００８５】
以上のような構成を有する基板ボックス１２は、第１ボックス構成部材２０と第２ボックス構成部材４０を接合する際には、先ず、第１ボックス構成部材２０のボックススライド係合部を第２ボックス構成部材４０のボックススライド係合受部４６、…に嵌め込むようにする。これにより、第１ボックス構成部材２０の収納凹部２３の後端部分が第２ボックス構成部材４０の周囲壁４２に収容されるとともに、第１ボックス構成部材２０の上下の側壁部２２、２２が第２ボックス構成部材４０のスライド溝に嵌合する。
そして、この状態で、第１ボックス構成部材２０を左方向へスライドさせることで、ボックススライド係合部とボックススライド係合受部４６、…が係合するとともに、第１挿入係合部が第２挿入係合受部４７、４７に挿入されて係合した状態となる。
これにより、第１ボックス構成部材２０と第２ボックス構成部材４０とが接合した状態となる。
【００８６】
また、第１ボックス構成部材２０に設けられた係止部材２７は、上述のように第１ボックス構成部材２０を左方向にスライドさせる過程で係止片４８の右側面の斜面に当接し、さらに左方向にスライドすることで、係止部材２７が弾性変形して係止片４８の斜面に沿って案内される。そして、係止部材２７の係止部が係止片４８を乗り越えると、弾性変形していた係止部材２７が元の状態に復帰し、係止片４８の垂直な左端面に係止部材２７が係止される。
このように、係止部材２７の係止部が係止片４８を乗り越えた状態となるのは、ちょうど第１ボックス構成部材２０が第２ボックス構成部材４０と接合された状態となったときであって、この位置で係止部材２７が係止されることで、第１ボックス構成部材２０と第２ボックス構成部材４０とが接合された状態で保持されることとなる。
【００８７】
第１ボックス構成部材２０と第２ボックス構成部材４０とが接合した状態では、固着部７０をなすかしめ部３０、…とかしめ受部５０、…とが対向するように配され、固着可能な状態となる。そして、４つのかしめ部３０、…のうち、何れか（例えば、最も上側）のかしめ部３０のネジ孔に仮止めされているワンウェイネジ９を当該ネジ孔に対向配置されたかしめ受部５０のネジ穴に螺子込むことで第１ボックス構成部材２０と第２ボックス構成部材４０を固着する。
これにより、基板ボックス１２が密封された状態となる。
【００８８】
なお、ワンウェイネジ９による固着前であれば、係止部材２７を上側に引き上げるように弾性変形させて係止片４８による係止部の係止状態を解除し、第１ボックス構成部材２０を右方向へスライドさせることで、第１ボックス構成部材２０と第２ボックス構成部材４０の接合状態を解除することができる。
【００８９】
次に、基板ボックス１２に対する固着部カバー８０及びＩＣタグ９０の取付方法について図６〜図８を参照して説明する。
先ず、第１抜止板部８２がかしめ部３０の前端部に引っ掛からないように、且つ、第２抜止板部８３がかしめ受部５０の後端部に引っ掛からないように前側板部８１１及び後側板部８１３の開可動板部８４を右側板部８１２に対して開くように弾性変形させる（図５（ａ）及び図５（ｂ）参照）。
そして、この状態で、下側蓋部２６１の下側係止爪２６１ａに右側板部８１２の下端部に係止させ、かつ、上側蓋部２６２の上側係止爪２６２ａに右側板部８１２の上端部に係止させるように当該固着部カバー８０を基板ボックス１２の右側端部に取付固定する（図６参照）。
【００９０】
続けて、固着部カバー８０に対する開可動板部８４を開く方向への付勢力を解除すると、当該開可動板部８４は弾性力により閉じた状態に復帰する。
これにより、第１抜止板部８２がかしめ部３０よりも奥側（左側）に配置され、且つ、第２抜止板部８３がかしめ受部５０よりも奥側（左側）に配置された状態となる（図７及び図８参照）。
【００９１】
次に、固着部カバー８０を被覆するように、即ち、右側板部８１２を右側被覆板部９２で被覆し、且つ、前側板部８１１を前側被覆板部９１で被覆し、且つ、後側板部８１３を後側被覆板部９３で被覆するようにＩＣタグ９０を固着部カバー８０に貼り付ける（図２参照）。
【００９２】
次に、基板ボックス１２を開放する場合について図９を参照して説明する。
先ず、第１抜止板部８２がかしめ部３０の前端部に引っ掛からないように、且つ、第２抜止板部８３がかしめ受部５０の後端部に引っ掛からないように前側板部８１１及び後側板部８１３の開可動板部８４を右側板部８１２に対して開くように弾性変形させる（図９参照）。これにより、前側被覆板部９１及び後側被覆板部９３の４つの開不可板部８５、…に対向する内面に貼着されたアンテナ部９４のうち、固着部カバー８０の表面に対する貼り付け強度よりも強い貼り付け強度で貼り付けられた部分は、当該開不可板部８５に対向する内面に残存する一方で、固着部カバー８０の表面に対する貼り付け強度よりも弱い貼り付け強度で貼り付けられた部分は、開不可板部８５に対向する内面から剥がれて固着部カバー８０の開不可板部８５の表面に貼着されたままの状態となる。即ち、アンテナ部９４は、部分的に破断した状態となる。
【００９３】
続けて、上側蓋部２６２を撓ませて上側係止爪２６２ａと右側板部８１２の上端部の係止を解除し、且つ、下側蓋部２６１を撓ませて下側係止爪２６１ａと右側板部８１２の下端部の係止を解除した後、当該固着部カバー８０を基板ボックス１２から取り外す。
その後、ワンウェイネジ９により固着されているかしめ受部５０の接続部４９、若しくはかしめ部３０の連結部を切断する。
そして、第１ボックス構成部材２０を第２ボックス構成部材４０に対して右方向にスライドさせることにより、第１ボックス構成部材２０と第２ボックス構成部材４０の接合状態を解除する。
【００９４】
なお、ＩＣタグ９０全体を固着部カバー８０から剥がした後、固着部カバー８０を基板ボックス１２から取り外すようにしても良い。この場合であっても、ＩＣタグ９０全体を固着部カバー８０から剥がすことで、前側被覆板部９１、右側被覆板部９２及び後側被覆板部９３の内面に貼着されたアンテナ部９４のうち、固着部カバー８０の表面に対する貼り付け強度よりも強い貼り付け強度で貼り付けられた部分は、前側被覆板部９１、右側被覆板部９２及び後側被覆板部９３の内面に残存する一方で、固着部カバー８０の表面に対する貼り付け強度よりも弱い貼り付け強度で貼り付けられた部分は、前側被覆板部９１、右側被覆板部９２及び後側被覆板部９３の内面から剥がれて固着部カバー８０の表面に貼着されたままの状態となる。これにより、アンテナ部９４は、部分的に破断した状態となる。
【００９５】
以上のように、本実施形態の遊技機１００は、電子部品を搭載した遊技制御基板を基板ボックス１２に収納した遊技制御装置１０を備える遊技機１００であって、基板ボックス１２は、第１ボックス構成部材２０と、第２ボックス構成部材４０と、第１ボックス構成部材２０及び第２ボックス構成部材４０を固着する固着部７０と、を備え、遊技制御装置１０は、固着部７０を被覆する複数の壁部を具備する固着部カバー８０と、複数の壁部のうち、少なくとも一の壁部（例えば、前側板部８１１等）を被覆するように配設されたアンテナ部９４と、アンテナ部９４を介してデータを送受信するとともに固有の識別情報を記憶するＩＣチップとを有するＩＣタグ９０と、を備え、アンテナ部９４が配設された一の壁部は、弾性力により当該一の壁部と隣合う他の壁部（例えば、右側板部８１２等）に対して開くように可動変形する開可動板部８４と、開可動板部８４が開いても他の壁部に対して開かないように構成された開不可板部８５とを具備している。
【００９６】
従って、固着部７０を被覆する複数の壁部を具備する固着部カバー８０は、ＩＣタグ９０のアンテナ部９４が配設された一の壁部（例えば、前側板部８１１等）は、弾性力により当該一の壁部と隣合う他の壁部（例えば、右側板部８１２等）に対して開くように可動変形する開可動板部８４と、開可動板部８４が開いても他の壁部に対して開かないように構成された開不可板部８５とを具備しているので、一の壁部の開可動板部８４を他の壁部に対して開くようにして取り付けることで固着部７０の被覆を適正に行うことができ、その上にアンテナ部９４で一の壁部を被覆するようにＩＣタグ９０を適正に取付けることができる。これにより、ＩＣタグ９０の取付けを簡便に行うことができる。また、一の壁部の開可動板部８４を他の壁部に対して開くだけで基板ボックス１２から固着部カバー８０を取り外すことができるので、取り扱いが簡単であり当該基板ボックス１２の開放作業を効率良く行うことができる。
さらに、ＩＣタグ９０が配設された状態で固着部カバー８０を開こうとしても、開可動板部８４と開不可板部８５によってＩＣタグ９０のアンテナ部９４が破断されることとなり、当該基板ボックス１２に対する不正を適正に防止することができる。
【００９７】
また、固着部カバー８０は、固着部７０を前面側から被覆する前側板部８１１と、固着部７０を後面側から被覆する後側板部８１３と、固着部７０を側面側から被覆して前側板部８１１と後側板部８１３を接続する右側板部８１２と、を備え、前側板部８１１及び後側板部８１３は、弾性力により右側板部８１２に対して開くように可動変形する開可動板部８４と、開可動板部８４が開いても右側板部８１２に対して開かないように構成された開不可板部８５とを具備している。
【００９８】
従って、固着部カバー８０の前側板部８１１及び後側板部８１３は、弾性力により右側板部８１２に対して開くように可動変形する開可動板部８４と、開可動板部８４が開いても右側板部８１２に対して開かないように構成された開不可板部８５とを具備しているので、前側板部８１１や後側板部８１３の開可動板部８４を右側板部８１２に対して開くようにして取り付けることで固着部７０の被覆を適正に行うことができ、その上にアンテナ部９４で前側板部８１１や後側板部８１３を被覆するようにＩＣタグ９０を適正に取付けることができる。これにより、ＩＣタグ９０の取付けを簡便に行うことができる。また、前側板部８１１や後側板部８１３の開可動板部８４を右側板部８１２に対して開くだけで基板ボックス１２から固着部カバー８０を取り外すことができるので、取り扱いが簡単であり当該基板ボックス１２の開放作業を効率良く行うことができる。
【００９９】
また、固着部カバー８０の前側板部８１１及び後側板部８１３には、開不可板部８５が複数設けられている。
【０１００】
従って、開不可板部８５が複数設けられているので、当該複数の開不可板部８５及び開可動板部８４によってＩＣタグ９０のアンテナ部９４を適正に破断することができ、当該基板ボックス１２に対する不正をより適正に防止することができる。
【０１０１】
また、開不可板部８５の内面には、当該開不可板部８５が他の壁部に対して開かないように規制する前側規制用リブ８６１及び後側規制用リブ８６２が配設されている。
【０１０２】
従って、開不可板部８５の内面に配設された前側規制用リブ８６１及び後側規制用リブ８６２によって、当該開不可板部８５が右側板部８１２に対して開かないように規制することができるので、開不可板部８５が開いた状態となることをより好適に規制することができ、開不可板部８５を開可動板部８４と一緒に可動させることを防止することができることとなって、当該基板ボックス１２に対する不正をより適正に防止することができる。
【０１０３】
なお、上記実施形態にあっては、開可動板部８４及び開不可板部８５を前側板部８１１及び後側板部８１３の各々に設けるようにしたが、これに限られるものではなく、前側板部８１１及び後側板部８１３の少なくとも何れか一方に設けられていれば良い。
【０１０４】
また、上記実施形態にあっては、前側板部８１１及び後側板部８１３の各々に４つの開不可板部８５、…を設けるようにしたが、開不可板部８５の数は４つに限られるものではなく、適宜任意に変更することができる。即ち、前側板部８１１及び後側板部８１３の少なくとも何れか一方に、開不可板部８５を一つだけ設けるようにしても良い。
【０１０５】
＜変形例１＞
以下に、固着部カバー１８０の変形例について図１０〜図１７を参照して説明する。
図１０は、変形例１の遊技機の遊技盤に備わる遊技制御装置１０を示す斜視図であり、図１１は、遊技制御装置１０から固着部カバー１８０及びＩＣタグ９０を取り外した状態を示す分解斜視図である。
なお、以下に説明する以外の点では、上記実施形態と略同様であり、その説明は省略する。
【０１０６】
図１０及び図１１に示すように、遊技制御装置１０の基板ボックス１２には、前側板部１８１１及び後側板部１８１３の代わりに右側板部１８１２に開可動板部１８４及び開不可板部１８５が設けられた固着部カバー１８０が取り付けられている。
【０１０７】
以下に、固着部カバー１８０について図１２及び図１３を参照して詳細に説明する。
図１２（ａ）は、固着部カバー１８０を閉じた状態を拡大して示す斜視図であり、図１２（ｂ）は、固着部カバー１８０を閉じた状態を示す平面図である。また、図１３（ａ）は、固着部カバー１８０を開いた状態を拡大して示す斜視図であり、図１３（ｂ）は、固着部カバー１８０を開いた状態を示す平面図である。
【０１０８】
固着部カバー１８０の固着部７０を被覆する被覆部１８１は、図１１〜図１３に示すように、第１抜止板部８２の前端部に連設された前側板部１８１１と、この前側板部１８１１の右端部に連設された右側板部１８１２と、この右側板部１８１２の後端部に連設された後側板部１８１３とを備えている。また、被覆部１８１は、前側板部１８１１及び後側板部１８１３に対して右側板部１８１２の開可動板部１８４が開いた状態と閉じた状態とに弾性変形可能となっており（詳細後述）、開可動板部１８４が閉じた状態では、上下方向に略直交する断面が左側に開口した略「コ」字状に形成されている（図１２参照）。
【０１０９】
前側板部１８１１は、図１２（ａ）及び図１２（ｂ）に示すように、左右方向及び上下方向に対して略平行に配設され、外形が略矩形状に形成されている。また、前側板部１８１１の左右方向の長さは、当該固着部カバー１８０を基板ボックス１２に取り付けた状態で、第１抜止板部８２がかしめ部３０よりも奥側（左側）に配置されるか或いはかしめ部３０の奥側端部（左側端部）と略等しい位置に配置される程度となっている。
【０１１０】
また、前側板部１８１１の左側の端部には、第１抜止板部８２が連設されている。
なお、前側板部１８１１と第１抜止板部８２の接続部分は、円弧状に湾曲した形状となっている。
【０１１１】
ここで、第１抜止板部８２の前後方向の長さは、当該固着部カバー１８０を基板ボックス１２に取り付けた状態で、かしめ部３０の前端部よりも後側に配置され、且つ、かしめ部３０と右側中面部２８５とを連接する連結部の前面よりも奥側に配置されない、即ち、連結部の前端面に接触するか、或いは前端面に接触しない程度となっている。
これにより、右側板部１８１２の開可動板部１８４が閉じた状態では、固着部カバー１８０を基板ボックス１２から取り外そうと相対的に右方向に移動させても、このままでは、第１抜止板部８２の先端部がかしめ部３０の前端部に引っ掛かった状態となって抜止めされるようになっている。つまり、固着部カバー１８０を基板ボックス１２から取り外すためには、第１抜止板部８２がかしめ部３０の前端部に引っ掛からないように右側板部１８１２の開可動板部１８４を開いた状態とする必要があるため、固着部カバー１８０の取り外し作業を容易に行うことができなくなる。
【０１１２】
後側板部１８１３は、左右方向及び上下方向に対して略平行に配設され、外形が略矩形状に形成されている。また、後側板部１８１３の左右方向の長さは、当該固着部カバー１８０を基板ボックス１２に取り付けた状態で、第２抜止板部８３がかしめ受部５０よりも奥側（左側）に配置されるか或いはかしめ受部５０の奥側端部（左側端部）と略等しい位置に配置される程度となっている。
【０１１３】
また、後側板部１８１３の左側の端部には、第２抜止板部８３が連設されている。
なお、後側板部１８１３と第２抜止板部８３の接続部分は、円弧状に湾曲した形状となっている。
【０１１４】
ここで、第２抜止板部８３の前後方向の長さは、当該固着部カバー１８０を基板ボックス１２に取り付けた状態で、かしめ受部５０の後端部よりも後側に配置され、且つ、かしめ受部５０と第２ボックス構成部材４０を接続する接続部４９の後面よりも前側に配置されない、即ち、接続部４９の後端面に接触するか、或いは後端面に接触しない程度となっている。
これにより、右側板部１８１２の開可動板部１８４が閉じた状態では、固着部カバー１８０を基板ボックス１２から取り外そうと相対的に右方向に移動させても、このままでは、第２抜止板部８３の先端部がかしめ受部５０の後端部に引っ掛かった状態となって抜止めされるようになっている。つまり、固着部カバー１８０を基板ボックス１２から取り外すためには、第２抜止板部８３がかしめ受部５０の後端部に引っ掛からないように右側板部１８１２の開可動板部１８４を開いた状態とする必要があるため、固着部カバー１８０の取り外し作業を容易に行うことができなくなる。
【０１１５】
右側板部１８１２は、図１２（ａ）及び図１２（ｂ）に示すように、開可動板部１８４が閉じた状態で前側板部１８１１及び後側板部１８１３に対して略直交するように、即ち、上下方向及び前後方向に対して略平行に配設されている。
なお、右側板部１８１２と前側板部１８１１及び後側板部１８１３の接続部分は、円弧状に湾曲した形状となっている。
【０１１６】
また、右側板部１８１２は、図１２及び図１３に示すように、弾性力により右側板部１８１２（一の壁部）と隣合う前側板部１８１１及び後側板部１８１３（他の壁部）に対して開くように可動変形する開可動板部１８４と、開可動板部１８４が開いても前側板部１８１１及び後側板部１８１３に対して開かないように構成された４つの開不可板部１８５、…とを具備し、外形が全体として略矩形状に形成されている。
【０１１７】
４つの開不可板部１８５、…は、略等しい間隔を空けて配設され、前側板部１８１１及び後側板部１８１３に対して交互に連設されている。即ち、４つの開不可板部１８５、…のうち、最も上側のものと上から３つめのものは、前側板部１８１１の右側の端部の所定位置から後側に延出するように配設され、残りの２つ、即ち、上から２つめのものと最も下側のものは、後側板部１８１３の右側の端部の所定位置から前側に延出するように配設されている。また、４つの開不可板部１８５、…は、基端部から略等しい幅をもって延設され、先端部が円弧状に湾曲して形成されている。
【０１１８】
前側板部１８１１に連設された２つの開不可板部１８５と前側板部１８１１の接続部分の内側には、当該開不可板部１８５の内面及び前側板部１８１１の内面を繋ぐように前側規制用リブ８６１が配設されている。これにより、当該開不可板部１８５が前側板部１８１１に対して開かないように規制され、開不可板部１８５は前側板部１８１１に対して略直交した状態となっている。
また、同様に、後側板部１８１３に連設された２つの開不可板部１８５と後側板部１８１３の接続部分の内側には、当該開不可板部１８５の内面及び後側板部１８１３の内面を繋ぐように後側規制用リブ８６２が配設されている。これにより、当該開不可板部１８５が後側板部１８１３に対して開かないように規制され、開不可板部１８５は後側板部１８１３に対して略直交した状態となっている。
【０１１９】
開可動板部１８４は、４つの開不可板部１８５、…の周囲に隣接するように配設され、隣接する部分は開不可板部１８５の外形に対応した形状に形成されている。即ち、開可動板部１８４が閉じた状態で、前側板部１８１１は、開可動板部１８４と開不可板部１８５との間にわずかな隙間が形成されるものの全体として略矩形板状をなしている。
また、開可動板部１８４は、通常状態では、前側板部１８１１及び後側板部１８１３に対して閉じた状態、即ち、開可動板部１８４と前側板部１８１１及び後側板部１８１３の内角が略直角となるように配設されている。そして、基板ボックス１２に対する取付けや取り外しに際して、開可動板部１８４を前側板部１８１１及び後側板部１８１３に対して開くように、即ち、開可動板部１８４と前側板部１８１１及び後側板部１８１３の内角が直角よりも大きくなるように変形させても（図１３（ａ）及び図１３（ｂ）参照）、開く方向への付勢力が解除されると、開可動板部１８４は弾性力により閉じた状態に復帰するようになっている。
【０１２０】
また、前側板部１８１１、右側板部１８１２及び後側板部１８１３の上下方向の長さは、上側蓋部２６２と下側蓋部２６１の間の上下方向の長さと略等しくなっている。これにより、前側板部１８１１、右側板部１８１２及び後側板部１８１３は、上側蓋部２６２の下端部及び下側蓋部２６１の上端部との間に隙間を形成することなく接触した状態で配設され、固着部カバー１８０の脇からのドライバーの挿入といった不正を防止することができる。
【０１２１】
ＩＣタグ９０は、上記実施形態のものと略同様の構成となっており、当該ＩＣタグ９０９２の右側被覆板部９２の上下方向の長さは、その上端部が固着部カバー１８０の右側板部１８１２の最も上側の開不可板部１８５の上端部と略等しい位置か、或いはわずかに下側に配置されるとともに、下端部が最も下側の開不可板部１８５の下端部と略等しい位置か、或いはわずかに上側に配置される程度となっている。
【０１２２】
また、ＩＣタグ９０の前側被覆板部９１、右側被覆板部９２及び後側被覆板部９３の内面に配設されたアンテナ部９４は、上記実施形態と同様に、前側被覆板部９１、右側被覆板部９２及び後側被覆板部９３が固着部カバー１８０から剥がされることで部分的に破断するようになっている。
そして、基板ボックス１２を開放する場合に、固着部カバー１８０の右側板部１８１２の開可動板部１８４が前側板部１８１１及び後側板部１８１３に対して開いた状態とされると、右側被覆板部９２の４つの開不可板部１８５、…に対向する内面に貼着されたアンテナ部９４のうち、固着部カバー１８０の表面に対する貼り付け強度よりも強い貼り付け強度で貼り付けられた部分は、当該開不可板部１８５に対向する内面に残存する一方で、固着部カバー１８０の表面に対する貼り付け強度よりも弱い貼り付け強度で貼り付けられた部分は、開不可板部１８５に対向する内面から剥がれて固着部カバー１８０の開不可板部１８５の表面に貼着されたままの状態となる。
【０１２３】
次に、基板ボックス１２に対する固着部カバー１８０及びＩＣタグ９０の取付方法について図１４〜図１６を参照して説明する。
先ず、第１抜止板部８２がかしめ部３０の前端部に引っ掛からないように、且つ、第２抜止板部８３がかしめ受部５０の後端部に引っ掛からないように右側板部１８１２の開可動板部１８４を前側板部１８１１及び後側板部１８１３に対して開くように弾性変形させる（図１３（ａ）及び図１３（ｂ）参照）。
そして、この状態で、下側蓋部２６１の下側係止爪２６１ａに右側板部１８１２の下端部に係止させ、かつ、上側蓋部２６２の上側係止爪２６２ａに右側板部１８１２の上端部に係止させるように当該固着部カバー１８０を基板ボックス１２の右側端部に取付固定する（図１４参照）。
【０１２４】
続けて、固着部カバー１８０に対する開可動板部１８４を開く方向への付勢力を解除すると、当該開可動板部１８４は弾性力により閉じた状態に復帰する。
これにより、第１抜止板部８２がかしめ部３０よりも奥側（左側）に配置され、且つ、第２抜止板部８３がかしめ受部５０よりも奥側（左側）に配置された状態となる（図１５及び図１６参照）。
【０１２５】
次に、固着部カバー１８０を被覆するように、即ち、右側板部１８１２を右側被覆板部９２で被覆し、且つ、前側板部１８１１を前側被覆板部９１で被覆し、且つ、後側板部１８１３を後側被覆板部９３で被覆するようにＩＣタグ９０を固着部カバー１８０に貼り付ける（図２参照）。
【０１２６】
次に、基板ボックス１２を開放する場合について図１７を参照して説明する。
先ず、第１抜止板部８２がかしめ部３０の前端部に引っ掛からないように、且つ、第２抜止板部８３がかしめ受部５０の後端部に引っ掛からないように右側板部１８１２の開可動板部１８４を前側板部１８１１及び後側板部１８１３に対して開くように弾性変形させる（図１７参照）。これにより、右側板部１８１２の４つの開不可板部１８５、…に対向する内面に貼着されたアンテナ部９４のうち、固着部カバー１８０の表面に対する貼り付け強度よりも強い貼り付け強度で貼り付けられた部分は、当該開不可板部１８５に対向する内面に残存する一方で、固着部カバー１８０の表面に対する貼り付け強度よりも弱い貼り付け強度で貼り付けられた部分は、開不可板部１８５に対向する内面から剥がれて固着部カバー１８０の開不可板部１８５の表面に貼着されたままの状態となる。即ち、アンテナ部９４は、部分的に破断した状態となる。
【０１２７】
続けて、上側蓋部２６２を撓ませて上側係止爪２６２ａと右側板部１８１２の上端部の係止を解除し、且つ、下側蓋部２６１を撓ませて下側係止爪２６１ａと右側板部１８１２の下端部の係止を解除した後、当該固着部カバー１８０を基板ボックス１２から取り外す。
その後、ワンウェイネジ９により固着されているかしめ受部５０の接続部４９、若しくはかしめ部３０の連結部を切断する。
そして、第１ボックス構成部材２０を第２ボックス構成部材４０に対して右方向にスライドさせることにより、第１ボックス構成部材２０と第２ボックス構成部材４０の接合状態を解除する。
【０１２８】
なお、ＩＣタグ９０全体を固着部カバー１８０から剥がした後、固着部カバー１８０を基板ボックス１２から取り外すようにしても良い。
【０１２９】
また、基板ホルダ６０に対する基板ボックス１２の取付方法及び取り外し方法は、上記実施形態と同様であり、その詳細な説明は省略する。
【０１３０】
以上のような構成の遊技機は、固着部カバー１８０は、固着部７０を前面側から被覆する前側板部１８１１と、固着部７０を後面側から被覆する後側板部１８１３と、固着部７０を側面側から被覆して前側板部１８１１と後側板部１８１３を接続する右側板部１８１２と、を備え、右側板部１８１２は、弾性力により前側板部１８１１や後側板部１８１３に対して開くように可動変形する開可動板部１８４と、開可動板部１８４が開いても前側板部１８１１及び後側板部１８１３の少なくとも何れか一方に対して開かないように構成された開不可板部１８５とを具備している。
【０１３１】
従って、固着部カバー１８０の右側板部１８１２は、弾性力により前側板部１８１１や後側板部１８１３に対して開くように可動変形する開可動板部１８４と、開可動板部１８４が開いても前側板部１８１１や後側板部１８１３に対して開かないように構成された開不可板部１８５とを具備しているので、右側板部１８１２の開可動板部１８４を前側板部１８１１や後側板部１８１３に対して開くようにして取り付けることで固着部７０の被覆を適正に行うことができ、その上にアンテナ部９４で右側板部１８１２を被覆するようにＩＣタグ９０を適正に取付けることができる。これにより、ＩＣタグ９０の取付けを簡便に行うことができる。また、右側板部１８１２の開可動板部１８４を前側板部１８１１や後側板部１８１３に対して開くだけで基板ボックス１２から固着部カバー１８０を取り外すことができるので、取り扱いが簡単であり当該基板ボックス１２の開放作業を効率良く行うことができる。
【０１３２】
なお、上記変形例にあっては、右側板部１８１２に前側板部１８１１及び後側板部１８１３の各々に対して開くように可動する開可動板部１８４を設けるようにしたが、これに限られるものではなく、開可動板部１８４は、前側板部１８１１及び後側板部１８１３の少なくとも何れか一方に対して開くように可動するように構成されていれば良い。
【０１３３】
また、上記変形例にあっては、右側板部１８１２に４つの開不可板部１８５、…を設けるようにしたが、開不可板部１８５の数は４つに限られるものではなく、適宜任意に変更することができる。即ち、右側板部１８１２に開不可板部１８５を一つだけ設けるようにしても良い。
【０１３４】
なお、本発明は、上記実施形態に限定されることなく、本発明の趣旨を逸脱しない範囲において、種々の改良並びに設計の変更を行っても良い。
例えば、上記実施形態及び変形例にあっては、開不可板部８５、１８５の内面に前側規制用リブ８６１及び後側規制用リブ８６２を設けるようにしたが、前側規制用リブ８６１及び後側規制用リブ８６２を設けるか否かは適宜任意に変更することができる。即ち、前側規制用リブ８６１のみを設けるようにしても良いし、後側規制用リブ８６２のみを設けるようにしても良い。
【０１３５】
なお、本発明の遊技機１００は、遊技機として、実施の形態に示されるようなパチンコ遊技機に限られるものではなく、例えば、その他のパチンコ遊技機、アレンジボール遊技機、雀球遊技機、パチスロ遊技機などの制御基板を備える全ての遊技機に適用可能である。
【０１３６】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【０１３７】
【図１】本発明を適用した一実施形態の遊技機に備わる遊技盤の一部を示す背面図である。
【図２】図１の遊技盤に備わる遊技制御装置を示す斜視図である。
【図３】図２の遊技制御装置から固着部カバー及びＩＣタグを取り外した状態を示す分解斜視図である。
【図４】図３の固着部カバーを閉じた状態を拡大して示す図である。
【図５】図３の固着部カバーを開いた状態を拡大して示す図である。
【図６】図３の遊技制御装置に対する固着部カバーの取り付けを説明するための斜視図である。
【図７】図３の遊技制御装置に対する固着部カバーの取り付けを説明するための斜視図である。
【図８】図７の遊技制御装置に固着部カバーを取り付けた状態を示す側面図である。
【図９】図２の遊技制御装置からの固着部カバーの取り外しを説明するための斜視図である。
【図１０】変形例１の遊技機の遊技盤に備わる遊技制御装置を示す斜視図である。
【図１１】図１０の遊技制御装置から固着部カバー及びＩＣタグを取り外した状態を示す分解斜視図である。
【図１２】図１１の固着部カバーを閉じた状態を拡大して示す図である。
【図１３】図１１の固着部カバーを開いた状態を拡大して示す図である。
【図１４】図１１の遊技制御装置に対する固着部カバーの取り付けを説明するための斜視図である。
【図１５】図１１の遊技制御装置に対する固着部カバーの取り付けを説明するための斜視図である。
【図１６】図１１の遊技制御装置に固着部カバーを取り付けた状態を示す側面図である。
【図１７】図１０の遊技制御装置からの固着部カバーの取り外しを説明するための斜視図である。
【符号の説明】
【０１３８】
１００  遊技機
１０    遊技制御装置（制御装置）
１２    基板ボックス
２０    第１ボックス構成部材
４０    第２ボックス構成部材
７０    固着部
８０、１８０  固着部カバー（固着部被覆部材）
８１１、１８１１  前側板部（前壁部）
８１２、１８１２  右側板部（側壁部）
８１３、１８１３  後側板部（後壁部）
８４、１８４  開可動板部（開可動部）
８５、１８５  開不可板部（開不可部）
８６１  前側規制用リブ
８６２  後側規制用リブ
９０    ＩＣタグ
９４    アンテナ部
９      ワンウェイネジ
【図１】
0004672740.tif 000002
【図２】
0004672740.tif 000003
【図３】
0004672740.tif 000004
【図４】
0004672740.tif 000005
【図５】
0004672740.tif 000006
【図６】
0004672740.tif 000007
【図７】
0004672740.tif 000008
【図８】
0004672740.tif 000009
【図９】
0004672740.tif 000010
【図１０】
0004672740.tif 000011
【図１１】
0004672740.tif 000012
【図１２】
0004672740.tif 000013
【図１３】
0004672740.tif 000014
【図１４】
0004672740.tif 000015
【図１５】
0004672740.tif 000016
【図１６】
0004672740.tif 000017
【図１７】
0004672740.tif 000018